(57)【要約】【課題】  移送される液体が汚染されることを防止しつつ液体を連続的に移送可能で、しかも安価な液体移送具を提供する。【解決手段】  液体を移送するための流路２６を有する移送管２４、２５と、この移送管２４、２５の一方の端部に設けられた吸込部２１と、他方の端部に設けられた吐出部２２とを備えてなり、少なくとも気体を吸引可能な吸引手段２８を接続可能であると共に密閉状態を維持可能な吸引口２７を吸込部２１と吐出部２２との間に流路２６と連通するように備え、且つ、吸引口２７より吐出部２２側の流路２６を閉塞可能な閉塞手段３８を備えている。【選択図】  図１
2007325765.tif 000002
【特許請求の範囲】
【請求項１】
液体を移送するための流路を有する移送管と、該移送管の一方の端部に設けられた吸込部と、他方の端部に設けられた吐出部とを備えた液体移送具において、
少なくとも気体を吸引可能な吸引手段を接続可能であると共に密閉状態を維持可能な吸引口を前記吸込部と前記吐出部との間に前記流路と連通するように備え、且つ、前記吸引口より前記吐出部側の前記流路を閉塞可能な閉塞手段を備えたことを特徴とする液体移送具。
【請求項２】
前記吸引口に前記吸引手段が接続されていることを特徴とする請求項１に記載の液体移送具。
【請求項３】
液体を移送するための流路を有する移送管と、該移送管の一方の端部に設けられた吸込部と、他方の端部に設けられた吐出部とを備えた液体移送具において、
前記吸込部と前記吐出部との間に吸引部を備え、
該吸引部が、前記流路と連通する吸引口と、該吸引口に着脱可能に接続され、少なくとも前記流路から気体を吸引可能であると共に密閉状態を維持可能な吸引手段と、少なくとも前記吸引口より前記吐出部側の前記流路を閉塞可能な閉塞手段とを備えたことを特徴とする液体移送具。
【請求項４】
前記移送管は、前記吸引口より前記吐出部側及び／又は前記吸引口より前記吸込部側に可撓性チューブを有することを特徴とする請求項１乃至３の何れか一つに記載の液体移送具。
【請求項５】
前記移送管は、少なくとも前記吸引口と前記吐出部との間で弾性変形可能であり、前記閉塞手段は、該移送管を弾性変形させることにより前記流路を閉塞する手段からなることを特徴とする請求項１乃至４の何れか一つに記載の液体移送具。
【請求項６】
前記吸引手段は、前記気体を吸引及び排出可能に構成され、前記閉塞手段は、前記吸引口より前記吐出部側の前記流路と前記吸引口より前記吸込部側の流路とを択一的に閉塞可能であることを特徴とする請求項１乃至５の何れか一つに記載の液体移送具。
【請求項７】
前記閉塞手段は、前記吸引口より前記吸込部側の前記流路を閉塞する一次側閉塞状態と、前記吸引手段より前記吐出部側の前記流路を閉塞する二次側閉塞状態と、前記吐出部側の前記流路と前記吸引部側の前記流路との間を連通する連通状態とを択一的に切換可能な切換弁であることを特徴とする請求項６に記載の液体移送具。
【請求項８】
前記吸引手段は、前記気体及び液体を吸引及び排出可能に構成されていることを特徴とする請求項６又は７に記載の液体移送具。
【請求項９】
前記吸引手段は、吸引量の測定手段を有するシリンジからなることを特徴とする請求項８に記載の液体移送具。
【請求項１０】
前記吸込部は、供給側の液体中に先端を没入させて吸込む接液体と、該接液体が着脱自在な嵌合コネクタとからなることを特徴とする請求項１乃至９の何れか一つに記載の液体移送具。
【請求項１１】
前記接液体は、ピペット状の管状体であることを特徴とする請求項１０に記載の液体移送具。
【請求項１２】
前記吐出部は、ルアー形状を有する接合コネクタからなることを特徴とする請求項１乃至は１１の何れか一つに記載の液体移送具。
【請求項１３】
前記液体は、除菌処理されていることを特徴とする請求項１乃至１２の何れか一つに記載の液体移送具。
【発明の詳細な説明】
【技術分野】
【０００１】
本発明は、供給側の液体を受容側の容器等に移送する際に使用する液体移送具に関する。
【背景技術】
【０００２】
従来、各種の液体を供給側から受容側まで移送させるために多数のポンプが用いられている。このポンプは、液体を収容して押出すための収容部を有し、この収容部に液体を導入する導入口と液体を排出する排出口とを有すると共にそれぞれに逆止弁が設けられ、更に、導入口に一次側の配管が接続されると共に排出口に二次側の配管が接続されている。そして、機械的或いは手動で収容部の容積を増加減少させたり、液体に遠心力を付与する等の方法で収容部内を加圧減圧させることにより、一次側の配管から導入口及び逆止弁を介して液体を収容部に導入し、次いで、収容部から逆止弁及び排出口を介して二次側の配管へ液体を排出し、これにより多量の液体を連続的に移送することができるようになっている。
【０００３】
移送される液体の種類や量は様々であるが、例えば、清浄な液体を移送する場合には、一次側及び二次側の配管やポンプとして、液体が汚染され難いものを用いる必要がある。その場合、ポンプは接液部分の構造が配管に比べて複雑になり易く、液体に応じた適切なものを選択する必要がある。高度に清浄な液体が出来るだけポンプの接液部分による悪影響を受けることを防止するためには、その構造や材質が特定された専用のポンプが使用される。
【０００４】
比較的少量の液体を移送する場合には、ポンプなどの移送手段を用いずに行われることもある。例えば、医療用の液体や実験用の液体等において、少量の液体を移送する場合には、供給側の液体を容器やピペット等に分取し、内部に保持して、受容側に移すことが行われる。
【０００５】
患者から採取した細胞を体外で培養し、増殖した細胞を再び体内に戻す養子免疫療法においては、細胞を増殖させる際、細胞の密度に合わせたフラスコ内で、細胞培養用の培地によりプレ培養させた後、増殖した細胞とその培養液からなる混合液体を内容量が大きい閉鎖系のカルチャーバッグへ移送して、更に、細胞を増殖させるという方法が行われている。
【０００６】
このような液体の移送は、例えば図５に示すような手段により行われている。ここでは、硬質樹脂よりなるフラスコ１１内でプレ培養が行われた後、増殖した細胞とその培養液との混合液体が収容されたフラスコ１１から、新たな液体培地が収容された閉鎖系の軟質カルチャーバッグ１２へ、フラスコ１１内の混合液体を移送する。
【０００７】
このような場合、クリーンベンチ内で、シリンジのプランジャを取り外した状態の外筒１３をスタンド１４にクランプ１５で固定し、外筒１３の先端をカルチャーバッグ１２の充填ポート１６に接続し、カルチャーバッグ１２を外筒１３より下方に配置して移送具を準備する。尚、充填ポート１６には可撓性の充填チューブ１７の一端が接続されており、この充填チューブ１７の他端は、カルチャーバッグ１２に溶着などにより接続されている。
【０００８】
そして、ピペッター１８に装着されたピペット１９により、フラスコ１１内から混合液体をピペット１９内に吸引し、シリンジの外筒１３内に排出するという回分式の動作を繰り返し、混合液体の高低差を利用して充填ポート１６からカルチャーバッグ１２内に導入することにより移送している。また、場合によっては、フラスコ１１から直接シリンジの外筒１３内に流し込むことにより移送することも行われる。これらは、何れも管理されたクリーンベンチ内で行われている。
【０００９】
また、一方で、養子免疫治療のプレ培養に、フラスコと比べ、培養操作時に生じるコンタミネーションが起こり難く、さらに培養効率が高い小型の閉鎖系カルチャーバッグが用いられている。このカルチャーバッグでは、内面に抗ＣＤ３抗体を固相化して用いられるが、その固相化する操作が煩雑であり、改善が要望されていた。
【００１０】
この固相化では、まず、抗ＣＤ３抗体をりん酸緩衝液等に混合した液体を予め調製し、その調製された液体をシリンジに充填し、バッグに備わるポートからバッグ内へ注入する。所定時間放置後、シリンジで固相化されていない抗ＣＤ３抗体混合液を前記ポートから抜き取る。
【００１１】
次に、図５と同様の手段を用い、りん酸緩衝液を貯留した容器（不図示）からりん酸緩衝液をピペット１９内に吸引してシリンジの外筒１３内に排出し、カルチャーバッグ１２の充填ポート１６を介してカルチャーバッグ１２内に移送する。このりん酸緩衝液によりカルチャーバッグ１２内を洗浄し、外筒１３を充填ポート１６から外した後、その液をカルチャーバッグ１２の充填ポート１６から排出する。
【００１２】
次に、再度充填ポート１６に外筒１３を取り付け、所定量の液体培地を貯留した容器（不図示）から液体培地をピペット１９内に吸引して外筒１３内に排出し、
カルチャーバッグ１２の充填ポート１６を介してカルチャーバッグ１２内に移送する操作を複数回繰り返すことにより、液体培地をカルチャーバッグ１２内に収容し、プレ培養バッグの準備が終了する。その後、カルチャーバッグ１２に備わるポート１６ａから増殖させる細胞を注入し、インキュベータ内で数日間細胞を増殖させることが行われている。
【発明の開示】
【発明が解決しようとする課題】
【００１３】
しかしながら、このような操作では、液体を移送する操作を多数回行うため、手間を要するだけでなく、毎回の操作でピペットを容器内外に出し入れしたり、都度、外筒の取り付け、取り外しを繰り返す事から、クリーンベンチ内であっても、ピペットやポート先端が細菌や異物で汚染される可能性が高く、このような汚染を防止でき、かつ、簡易な操作で液体を連続式に移送できる液体移送具の案出が望まれていた。
【００１４】
そこで、本発明は、移送される液体が汚染される事なく、簡易な操作で液体を連続的に移送可能で、しかも安価な液体移送具を提供することを課題とする。
【課題を解決するための手段】
【００１５】
上記課題を解決するため、請求項１に記載の発明は、液体を移送するための流路を有する移送管と、該移送管の一方の端部に設けられた吸込部と、他方の端部に設けられた吐出部とを備えた液体移送具において、少なくとも気体を吸引可能な吸引手段を接続可能であると共に密閉状態を維持可能な吸引口を前記吸込部と前記吐出部との間に前記流路と連通するように備え、且つ、前記吸引口より前記吐出部側の前記流路を閉塞可能な閉塞手段を備えたことを特徴とする。
【００１６】
請求項２に記載の発明は、請求項１に記載の構成に加え、前記吸引口に前記吸引手段が接続されていることを特徴とする。
【００１７】
請求項３に記載の発明は、液体を移送するための流路を有する移送管と、該移送管の一方の端部に設けられた吸込部と、他方の端部に設けられた吐出部とを備えた液体移送具において、前記吸込部と前記吐出部との間に吸引部を備え、該吸引部が、前記流路と連通する吸引口と、該吸引口に着脱可能に接続され、少なくとも前記流路から気体を吸引可能であると共に密閉状態を維持可能な吸引手段と、少なくとも前記吸引口より前記吐出部側の前記流路を閉塞可能な閉塞手段とを備えたことを特徴とする。
【００１８】
請求項４に記載の発明は、請求項１乃至３の何れか一つに記載の構成に加え、前記移送管は、前記吸引口より前記吐出部側及び／又は前記吸引口より前記吸込部側に可撓性チューブを有することを特徴とする。
【００１９】
請求項５に記載の発明は、請求項１乃至４の何れか一つに記載の構成に加え、前記移送管は、少なくとも前記吸引口と前記吐出部との間で弾性変形可能であり、前記閉塞手段は、該移送管を弾性変形させることにより前記流路を閉塞する手段からなることを特徴とする。
【００２０】
請求項６に記載の発明は、請求項１乃至５の何れか一つに記載の構成に加え、前記吸引手段は、前記気体を吸引及び排出可能に構成され、前記閉塞手段は、前記吸引口より前記吐出部側の前記流路と前記吸引口より前記吸込部側の流路とを択一的に閉塞可能であることを特徴とする。
【００２１】
請求項７に記載の発明は、請求項６に記載の構成に加え、前記閉塞手段は、前記吸引口より前記吸込部側の前記流路を閉塞する一次側閉塞状態と、前記吸引手段より前記吐出部側の前記流路を閉塞する二次側閉塞状態と、前記吐出部側の前記流路と前記吸引部側の前記流路との間を連通する連通状態とを択一的に切換可能な切換弁であることを特徴とする。
【００２２】
請求項８に記載の発明は、請求項６又は７に記載の構成に加え、前記吸引手段は、前記気体及び液体を吸引及び排出可能に構成されていることを特徴とする。
【００２３】
請求項９に記載の発明は、請求項８に記載の構成に加え、前記吸引手段は、吸引量の測定手段を有するシリンジからなることを特徴とする。
【００２４】
請求項１０に記載の発明は、請求項１乃至９の何れか一つに記載の構成に加え、前記吸込部は、供給側の液体中に先端を没入させて吸込む接液体と、該接液体が着脱自在な嵌合コネクタとからなることを特徴とする。
【００２５】
請求項１１に記載の発明は、請求項１０の記載の構成に加え、前記接液体がピペット状の管状体であることを特徴とする。
尚、ピペット状の管状体とは、ピペットのみならず、ピペットと同様に硬質性の細管を備えたものをいう。
【００２６】
請求項１２に記載の発明は、請求項１乃至は１１何れか一つに記載の構成に加え、前記吐出部は、ルアー形状を有する接合コネクタからなることを特徴とする。
【００２７】
請求項１３に記載の発明は、請求項１乃至１２の何れか一つに記載の構成に加え、前記液体が除菌処理されていることを特徴とする。
【発明の効果】
【００２８】
請求項１乃至３に記載の発明によれば、吸引口に吸引手段を接続して、吸込部を供給側の液体中に没入させ、吸引口と吐出部との間の流路を閉塞手段により閉塞した状態で、吸引手段により流路の気体を吸引すれば、液体を流路の吸引口側まで吸引することができる。このとき、液体を供給側の液面位より低い流路内の位置まで吸引し、吸引口を密閉状態で維持して閉塞手段を開放すれば、その後は、吸引手段で吸引せずに、供給側の液面位と受容側の液面位との高低差に応じ、吸込部から吐出部まで流体を移送することができる。
【００２９】
これにより、一旦、液体の移送を開始すると、吸込部や吐出部を液体内から出し入れする事無く、連続的に移送することが可能である事から、液体の汚染や異物のコンタミネ―ションを防止する事ができる。また、連続的に液体を移送する為、移送効率が良い。
【００３０】
また、吸引手段内を経由することなく液体を移送できるため、無理な吸引や排出を回避でき、より穏やかに液体を移送することが可能である。
【００３１】
更に、構造が簡素な為、移送時に流体移送具内に収容される液体量を少なく抑えることができるため、供給側の液量が少量であっても液体を移送し易く、また、移送後に残留する液体量を少なく抑えることができるため、移送する液体の無駄も防止することができる。
【００３２】
請求項４に記載の発明によれば、移送管が吸引口より吐出部側及び／又は吸引口より吸込部側に可撓性チューブを有するので、移送管の配置が自在であり、使い勝手がよい。
【００３３】
請求項５に記載の発明によれば、移送管が、少なくとも吸引口と吐出部との間で弾性変形可能であり、閉塞手段がその移送管を弾性変形させることにより流路を閉塞する手段からなるので、閉塞手段を極めて簡単な構成にすることができる。
【００３４】
請求項６に記載の発明によれば、閉塞手段が吸引口より吐出部側の流路と吸引口より吸込部側の流路とを択一的に閉塞可能であるので、吸引口より吐出部側の流路を閉塞した状態で吸込部側から吸引手段により吸引した気体を、吸引口より吸込部側の流路を閉塞して吐出部側に排出することができる。そのため、吸引手段が移送管の流路の容積に対して吸引量が少ないものであっても、吸引及び排出を複数回繰り返すことで、供給側の液体を確実に流路内に吸引することが可能である。そのため、吸引手段を小型化し易い。
【００３５】
請求項７に記載の発明によれば、一次側閉塞状態、二次側閉塞状態、及び連通状態の切換が容易に行うことができ、液体を移送するための切換操作が容易である。
【００３６】
請求項８に記載の発明によれば、吸引手段が液体も吸引及び排出可能であるので、液体を吸引手段に接触させることなく移送できるだけでなく、液体を吸引手段に接触させて吸引手段の吸引及び排出により強制的に移送することも可能である。また、液体の性状の種類に合せて、液体の落差（高低差）による移送と強制的な移送を選択する事ができ、使用態様の自由度が大きい。
【００３７】
請求項９に記載の発明によれば、吸引手段が吸引量の測定手段を有するシリンジからなるので、液体吸引手段に接触させて強制的に移送させる際、液体の移送量を正確に把握し、かつ、調整することができる。
【００３８】
請求項１０に記載の発明によれば、供給側の液体に接触する接液体が着脱自在に嵌合コネクタに嵌合されるため、使用済みの接液体をすみやかに交換することが可能であり、供給側の液体の汚染を防止し易い。そのため、異なる供給側の液体を同じ受容側に移送するような場合に、接液体を交換して移送管、吸引手段、閉塞手段などをそのまま使用することができて、複数の供給側の液体を移送する際の手間を簡素化することができる。
【００３９】
請求項１１に記載の発明によれば、接液体がピペット状の管状体であるため、小さな容器内に収容された少量の液体でも吸引することができ、供給側の容器に残液を生じないばかりでなく、また、大容量のフラスコやボトルに対しても全長が十分確保することができる。
さらに、ピペット状の管状体としてピペットを用いれば、ピペットは大量生産されており、滅菌済みで固包装仕様の製品が量産されていることから、安価に調達することができ、経済的である。
【００４０】
請求項１２に記載の発明によれば、吐出部がルアー形状を有する接合コネクタからなるので、接合コネクタへ穿刺針や密封容器のポートを脱着し易い。
しかも、吐出部側の流路を閉塞できる閉塞手段が設けられているため、閉塞手段により吐出部側を閉塞すれば吸込部側の流路などに液体が収容された状態で、接合コネクタを脱離させても液体が吐出部から吐出されることがない。そのため、液体を複数の密封容器に移送する際、容易に接合コネクタを異なる密封容器に接合させることが可能であり、複数の密封容器へ液体を移送する際の手間を簡素化することができる。
【００４１】
請求項１３に記載の発明によれば、除菌処理された液体とは、液体培地、細胞を増殖させた培養液または、リン酸緩衝液等の洗浄液等が挙げられ、この発明の液体移送具は構造が簡素でありながら、細菌や異物のコンタミネーションを防止することができるため、除菌処理された液体の移送に好適である。
【発明を実施するための最良の形態】
【００４２】
［実施の形態１］
以下、この発明の実施の形態について説明する。
図１及び図２はこの実施の形態１を示す。
この実施の形態１の液体移送具２０では、一方の端部に吸込部２１が設けられると共に他方の端部に吐出部２２が設けられ、両者の間に略「ト」字状の連結部２３が設けられており、吸込部２１と連結部２３との間が弾性を有する可撓性チューブからなる吸込部側移送管２４により連結され、連結部２３と吐出部２２との間が弾性を有する可撓性チューブからなる吐出部側移送管２５により連結されている。そして、内部には吸込部側移送管２４、連結部２３、及び吐出部側移送管２５を通して、吸込部２１から吐出部２２まで連通する流路２６が設けられている。
【００４３】
略「ト」字状の連結部２３は、吐出部側移送管２５より硬質の樹脂成形体からなり、吐出部側移送管２５が接続される吐出部側突出部２３ｂに対し、吸込部側移送管２４が接続される吸込部側突出部２３ａが鈍角方向に突出して設けられている。
この連結部２３には、更に、吐出部側突出部２３ｂに対して略直線状に位置する反対方向に、吸引口側突出部２３ｃが設けられており、その端部側に流路２６と連通する吸引口２７が設けられている。
【００４４】
この吸引口２７は、ゴム栓２３ｄにより密閉されており、吸引手段としてのシリンジ２８が穿刺針２８ａを刺通することにより接続可能となっている。この吸引口２７は、吸引口２７からシリンジ２８の穿刺針２８ａを抜脱することにより、又は、穿刺針２８ａにより連通されるシリンジ２８の外筒２８ｂ内の容積を一定に維持することにより、密閉状態を維持することができる。
【００４５】
吸込部２１では、吸込部側移送管２４の先端に嵌合コネクタ３１が気密に接続されており、この嵌合コネクタ３１に接液体としてのピペット３２が嵌合されている。
嵌合コネクタ３１は、軟質塩化ビニルからなり、一端側に吸込部側移送管２４が気密に接合され、他端側の内部がピペット３２の外径を着脱自在に、且つ、気密に嵌合できるように弾性を有するテーパ面３１ａとなっている。
【００４６】
ピペット３２はガラスやポリスチレン、ポリプロピレン等の熱可塑性樹脂からなり、一端側がテーパ面３１ａに嵌合され、先端側が吸込口３２ａを有して貯留された移送対象の液体中に没入されるようになっている。この吸込口３２ａ先端に、図１に示すように、スリット若しくは、切り欠き３２ｂを設ける等の加工を施すことがより好ましい。これにより、液体が貯留されている容器３３の底面３２ｃに吸込口３２ａが当接した状態でも容易に液体を吸込む事ができる。また、ここでは、吸込部側移送管２４の先端に嵌合コネクタ３１を用いてピペット３２を気密に接合させているが、吸込部側移送管２４に直接ピペット３２の先端を差し込み、気密としたものでも同様の機能を有することができる。
【００４７】
吐出部２２では、吐出部側移送管２５の先端に接合コネクタ３４が設けられ、この接合コネクタ３４により、移送される液体の受容側である閉鎖系のカルチャーバッグ３６とルアー接続されるようになっており、カルチャーバッグ３６に液体を導入するために設けられたポート部３６ａに着脱自在に構成されている。具体的には、ポート部３６ａに設けられたメスルア部３６ｃに螺合可能なオスルア部３４ａが接合コネクタ３４に設けられている。
【００４８】
また、吐出部側移送管２５には、吐出部側移送管２５を弾性に抗して外部から押圧して、扁平形状にすることにより流路２６を閉塞することが可能な閉塞手段としてのクレンメ３８が装着されている。
【００４９】
なお、この実施の形態１において、吸引手段であるシリンジ２８は、穿刺針２８ａから気体を吸引及び排出可能であると共に、液体を吸引及び排出可能に構成されている。そして、外筒２８ｂには目盛り２８ｄが設けられており、シリンジ２８の吸引量が測定できるようになっている。
【００５０】
次に、このような構成の液体移送具２０を用いて液体を移送する方法として、フラスコ内でプレ培養された細胞の混合液を閉鎖系のカルチャーバッグへ移送する場合について説明する。
プレ培養バッグ内で培養された細胞の混合液を移送するには、新たな液体移送具２０を用い、図１に示すように、吸込部２１の嵌合コネクタ３１にピペット３２を嵌合し、連結部２３の吸引口２７にシリンジ２８の穿刺針２８ａを刺通することによりシリンジ２８を吸引口２７に接続して、液体移送具２０を準備しておく。
なお、プレ培養された細胞の混合液はプレ培養に用いた容器７０内に収容されている。
【００５１】
そして、図２に示すように、吸込部２１のピペット３２の先端側を容器７０内に収容して、吸込口３２ａをプレ培養された細胞の混合液中に没入させる。このとき、容器７０は、載置台４１等に載置するのが好ましい。
一方、吐出部２２の接合コネクタ３４を一つのカルチャ−バッグ３６のポート部３６ｃに接続し、カルチャーバッグ３６を容器７０の液面より低い位置、好ましくは載置台４１の下に配置する。
【００５２】
次に、吐出部側移送管２５に装着してあるクレンメ３８により流路２６を閉塞する。
この状態で、シリンジ２８の押し子２８ｃを引き上げることにより、流路２６内の気体を吸引する。このとき、プレ培養された細胞の混合液をシリンジ２８の穿刺針２８ａには接触しない付近まで吸引した段階で、シリンジ２８による吸引を一度終了する。
すると、ピペット３２により容器７０内のプレ培養された細胞の混合液が吸込部側移送管２４内に吸引されて流路２６内を連結部２３側に移動し、流路２６内を移動するプレ培養された細胞の混合液の先端の液面が容器７０内の液面より下方に到達する。このとき、シリンジ２８の押し子２８ｃを調整することにより、シリンジ２８による吸引を終了する。
【００５３】
そして、シリンジ２８の穿刺針２８ａを連結部２３の吸引口２７から抜脱した後、吐出部側移送管２５からクレンメ３８を除去し、吐出部側移送管２５の弾性により流路２６を開放する。すると、容器７０内の液面とカルチャーバッグ３６内の液面との落差（高低差）に応じて、容器７０からカルチャーバッグ３６まで、吸込部側移送管２４、連結部２３、及び吐出部側移送管２５の流路２６を経由してプレ培養された細胞の混合液が移送される。容器７０内の液の全量が流出した時点で移送が完了となる。
なお、シリンジ２８の穿刺針２８ａを吸引口２７から抜脱することなく、シリンジ２８の外筒２８ｂ内の容積を一定に維持することで吸引口２７の密閉状態を維持しておき、シリンジ２８内を経由せずにプレ培養された細胞の混合液を移送することも可能である。
【００５４】
その後、別の容器７０に収容されているプレ培養された細胞の混合液を別のカルチャーバッグ３６に移送する場合には、液体移送具２０は新たなものを使用する。一方、シリンジ２８は前回移送したプレ培養された細胞の混合液とは接触していないため、再度使用することも可能である。
【００５５】
以上のような液体移送具２０によれば、プレ培養された細胞の混合液を移送する際、シリンジ２８により流路２６内の供給側容器液面より低い位置まで液体を吸引し、吸引口２７を密閉状態に維持してクレンメ３８を開放すれば、その後はシリンジ２８で吸引することなく、吸込部２１から吐出部２２まで液体を移送することができる。
そのため、シリンジ２８内を経由することなく流路２６を通して液体を連続的に移送することが可能である。その結果、液体をシリンジ２８に接触させる機会をなくすことができる。
また、液体移送具の滅菌方法として、一般的に医療用具で行われている滅菌方法を挙げることができ、例えば、γ線照射や電子線照射による放射線照射や、エチレンオキサイドガス滅菌を挙げられ、無菌管理が容易である。
【００５６】
また、シリンジ２８を経由することなく液体を移送できるため、無理に吸引する事ことなく、より穏やかに液体を移送することが可能である。
更に、構造が簡素な為、移送時に流体移送具内に収容される液体量を少なく抑えることができるため、供給側の液量が少量であっても液体を移送し易く、また、移送後に残留する液体量を少なく抑えることができるため、移送する液体の無駄も防止することができる。
【００５７】
更に、上記液体移送具２０では、吐出部側移送管２５及び吸込部側移送管２４が可撓性チューブからなるため、これらの移送管２４、２５の配置が自在であり、使い勝手がよい。しかも、これらの移送管２４、２５が弾性変形可能であり、クレンメ３８によりその移送管２４、２５を弾性変形させて流路２６を閉塞するので、構成を簡単にできる。
【００５８】
また、ここでは、フラスコ内でプレ培養した細胞を容量の大きなカルチャーバッグ内へ全てを移送させた場合を説明したが、細胞を数バッグへ分ける際は、
吐出部２２がカルチャーバッグ３６のポート部３６ａに着脱自在な接合コネクタ３４からなるので、ポート部３６ａ、３６ｃに着脱し易く、この吐出部側移送管２５の流路２６をクレンメ３８で閉塞できるので、クレンメ３８で流路２６を閉塞すれば吸込部側移送路２４の流路２６などに収容された状態で、接合コネクタ３４を脱離させて、容易に異なるカルチャーバッグ３６に接合させて、次の移送を行うことが可能であり、複数のカルチャーバッグ３６への移送操作の手間を簡素化することができる。
【００５９】
［実施の形態２］
次に、図３、図４により実施の形態２の液体移送具２０について説明する。この液体移送具２０では、実施の形態１と比べ、連結部２３が略「Ｔ」字状で、吸引口２７が設けられた吸引口側突出部２３ｃと吐出部側突出部２３ｂとが略直線状に位置する反対方向に突出し、吸込部側突出部２３ａがこれらに対し略直角方向に突出している。
吐出部側突出部２３ｂには、図１に示すような吐出部側移送管２５がなく、直接、接合コネクタ３４が設けられている。この接合コネクタ３４はカルチャーバッグのポートや穿刺針と螺合可能なルアーロック構造となっており、ここでは接合コネクタ３４には穿刺針３４ｂが取り付けられる構成となっている。また、吸引口側突出部２３ｃの吸引口２７には、図１に示すようなゴム栓２３ｄが設けられておらず、穿刺針のないシリンジ２８がルアー接続されている。この吸引口２７はシリンジ２８の容積を一定に維持することにより密封状態が維持されるようになっている。
【００６０】
更に、この液体移送具２０では、閉塞部材としてクレンメ３８を用いる代りに連結部２３に切換弁としての三方弁４４が設けられている。この三方弁４４は、吸引口２７より吸込部２１側の流路２６を閉塞する一次側閉塞状態と、吸引口２７より吐出部２２側の流路２６を閉塞する二次側閉塞状態と、吐出部２２側の流路２６と吸込部２１側の流路２６との間を連通する連通状態とを択一的に切換可能となっている。その他は、実施の形態１と同様である。
【００６１】
次に、このような構成の液体移送具２０を用いて液体を移送する方法について説明する。
この実施の形態では、閉鎖系カルチャーバッグへの抗ＣＤ3抗体の固相化、バッグ内洗浄及び培地充填方法について説明する。
【００６２】
先ず、閉鎖系カルチャーバッグ内へ抗ＣＤ3抗体を固相化する方法について説明する。
この前準備では、予め、図３に示すように、吸込部２１の嵌合コネクタ３１にピペット３２を嵌合し、連結部２３の吸引口２７にシリンジ２８を接続して、吐出部２２に穿刺針３４ｂを取り付けた液体移送具２０を準備しておく。
【００６３】
まず、抗ＣＤ３抗体を固相化するには、図４に示すように、一方にメスルアーロック構造のポート３６ｄを具備したチューブ３６ｅと、他方に穿刺針３４ｂで連通可能なゴム栓を具備したゴム栓部３６ｆを有する閉鎖系カルチャーバッグ３６を準備する。
次に、抗ＣＤ３抗体をリン酸緩衝液等で希釈した抗ＣＤ３抗体混合液を予め調整し、その調整された液体を容器４０内に収容しておく。容器４０には一つのカルチャーバッグ３６に収容する分量の抗ＣＤ３抗体混合液が収容されている。
【００６４】
そして、吸込部２１のピペット３２の先端側を容器４０内に収容して、吸込口３２ａを抗ＣＤ３抗体混合液中に没入させる。
吐出部２２の先端に取り付けた穿刺針３４ｂをゴム栓部３６ｆに刺通し、三方弁４４を二次側閉塞状態とすることにより、吐出部２２側の流路２６を閉塞する。
【００６５】
この状態で、シリンジ２８の押し子２８ｃを引き上げて、流路２６内の気体を吸引する。すると、ピペット３２により容器４０内の抗ＣＤ３抗体混合液が吸込部側移送管２４内に吸引されて流路２６内を連結部２３側に移動し、シリンジ２８の外筒２８ｂ内に抗ＣＤ３抗体混合液の全量と気体とが吸引される。
【００６６】
そして、操作レバー４４ａを傾倒操作することにより一次側閉塞状態として、吸込部２１側の流路２６を閉塞し、シリンジ２８の押し子２８ｃを押し下げれば、穿刺針３４ｂから液体を排出することができ、シリンジ２８内の抗ＣＤ３抗体混合液の全量をカルチャ−バッグ３６内に強制的に移送し、そのまま所定時間放置後、他方のチューブ３６ｄにシリンジ５１を接続し、バッグ３６内の固相化されていない抗ＣＤ3抗体混合液をシリンジ５１の収容部へ吸引する。
【００６７】
次に、別のカルチャーバッグ３６に抗ＣＤ３抗体混合液を移送するには、抗ＣＤ３抗体混合液を収容した別の容器４０を準備しておき、先に使用した液体移送具２０をそのまま用いて、ピペット３２の先端を次の容器４０内の液中に没入して配置する。一方、液体移送具２０の穿刺針３４ｂを、充填が終了したカルチャーバッグ３６のゴム栓部３６ｆから抜脱させ、そのまま、次のカルチャーバッグ３６のゴム栓部３６ｆに刺通する事で連続して抗ＣＤ３抗体を固相化することができる。
【００６８】
次に、抗ＣＤ３抗体が固相化されたバッグ内洗浄について説明する。
抗ＣＤ３抗体の固相化した後に、カルチャーバッグ３６内部を洗浄するには、抗ＣＤ３抗体の固相化に使用した液体移送具２０の吸込部２１に接続されたピペット３２を新たなものに取り替えた後、新たなピペット３２をリン酸緩衝液を収容した容器５０に収容して吸込口３２ａをリン酸緩衝液中に没入させる。
一方、吐出部２２側の穿刺針３４ｂをカルチャ−バッグ３６のゴム栓部３６ｆに刺通し、三方弁４４の操作レバー４４ａを二次閉塞状態とし、シリンジ２８の押し子２８ｃを引き上げることにより、先の抗ＣＤ３抗体を固相化した時と同様に、リン酸緩衝液がシリンジ２８内に収容される。なお、カルチャーバッグ３６に充填するりん酸緩衝液の量は、特定される必要がなく、任意でよい。
【００６９】
そして、三方弁４４の操作レバー４４ａを一次閉塞状態とし、吸込部２１側の流路２６を閉塞し、シリンジ２８の押し子２８ｃを押し下げれば、これも先の抗ＣＤ３抗体の固相化した時と同様に、シリンジ２８内のリン酸緩衝液の全量をカルチャ−バッグ３６内に強制的に移送し、カルチャーバッグ３６内を洗浄後、他方のチューブ３６ｄに接続されたシリンジ５１を用いてりん酸緩衝液を排出し、洗浄を完了する。
【００７０】
連続して他のカルチャーバッグ３６にもりん酸緩衝液を移送する場合には、液体移送具２０の吐出部２２の穿刺針３４ｂを充填が終了したカルチャーバッグ３６のゴム栓部３６ｆから抜脱させ、そのまま、次のカルチャ−バッグ３６のゴム栓部３６ｆに刺通する。このとき、前回の充填でりん酸緩衝液が既に流路２６内で存在しているため、そのまま三方弁４４の切り替え及びシリンジ２８の押し子２８ｃの操作だけで、りん酸緩衝液の移送を開始することができる。
そして、このような作業を、複数のカルチャーバッグ３６の全てに繰り返せば、りん酸緩衝液を移送してりん酸緩衝液による洗浄作業を行うことが容易であり、効率的である。
【００７１】
次に、カルチャーバッグ３６内への液体培地の移送について説明する。
カルチャーバッグ３６内に液体培地を移送するには、図３のように液体移送具２０を準備する。このとき、リン酸緩衝液によるバッグ内洗浄で使用したもの用いる場合、カルチャーバッグ３６のゴム栓部３６ｆに刺通した穿刺針３４ｂを一旦抜脱し、流路２６の残存液を排出した後、ピペット３２を取り替えたものを用いても良い。また、図４に示すように、所定量の液体培地を収容した容器６０を準備する。
【００７２】
それと共に、吸込部２１のピペット３２の吸込口３２ａを容器６０の液体培地中に没入させ、三方弁４４の操作レバー４４ａを二次側閉塞状態とし、吸引手段より吐出部２２側の流路を閉塞した後、シリンジ２８の押し子２８ｃを引き上げ、一旦、連結部２３からピペット３２の先端３２ａまでの流路２６に存在する空気をシリンジ２８内に収容した後、三方弁４４の操作レバー４４ａを一次側閉塞状態とすることにより、吸込部２１側の流路２６を閉塞した後、シリンジ２８の押し子２８ｃを押し下げ、シリンジ２８内の空気を排出する。
【００７３】
次に、穿刺針３４ｂをカルチャーバッグ３６のゴム栓部３６ｆに刺通した後、再度、三方弁４４を二次側閉塞状態とし、シリンジ２８の押し子２８ｃを引き上げることにより、シリンジ２８の外筒２８ｂ内に液体培地を吸引する。このとき、目盛り２８ｄを用いて所定量を吸引することができる。
【００７４】
そして、操作レバー４４ａを傾倒操作することにより一次側閉塞状態として、吸込部２１側の流路２６を閉塞し、シリンジ２８の押し子２８ｃを押し下げれば、所定量の液体培地を吐出部２２へ排出することができ、カルチャ−バッグ３６内に強制的に移送することができる。培地が大容量の場合は、この作業を繰り返す事により、所定量の液体培地を移送させることができる。
【００７５】
その後、別のカルチャーバッグ３６に液体培地を充填する場合には、吸込部２１のピペット３２をそのままにして、吐出部２２の穿刺針３４ｂを、移送が終了したカルチャーバッグ３６のゴム栓部３６ｆから抜脱させて次のカルチャ−バッグ３６のゴム栓部３６ｆに刺通し、操作レバー４４ａ及びシリンジ２８の押し子２８ｃを同様に操作する。
これにより、複数のカルチャーバッグ３６に所定量の液体培地の収容を簡易に行うことができる。
【００７６】
以上のような実施の形態１及び２は、液体移送具２０の使用範囲を限定するものでは無く、その使用範囲は任意であり、例えば、実施の形態２の液体移送具を実施の形態１で説明したプレ培養された細胞の混合液の移送に使用することもでき、同様の効果を得る事ができる。
【００７７】
更に、この液体移送具２０では、ピペット３２が着脱自在に嵌合コネクタ３１に嵌合されるため、使用されたピペット３２だけを交換することが可能であり、各容器に収容されている液体の汚染を防止し易い。そのため、異なる容器の液体を同じカルチャーバッグ３６に移送する場合、ピペット３２だけを交換して吸込部側移送管２４、連結部２３、吐出部側移送管２５、及び吐出部２２などをそのまま使用することができて、交換の手間を簡素化することができる。
【００７８】
培養した細胞を容器間で移送させる等の１回操作で作業が完結するものは、実施の形態１で挙げた略「ト」字状の連結部２３を用いたものや、実施の形態２で挙げた三方弁４４を連通状態として移送させることが好ましい。さらに、細胞を移送する際であっても、無理な吸引や排出を回避できるため、細胞へ影響を与えることがない。
【００７９】
また、抗ＣＤ３抗体を固相化させる等の複数回操作があるものや、同一品を複数個作製する場合は、三方弁４４の切り換えにより、流路２６を容易に閉塞及び開放することができるため、実施の形態２に係る液体移送具２０の方が、実施の形態１のようなクレンメ３８の着脱や、シリンジ２８の押し子２８ｃの調整により吸引口２７の密封状態を維持する必要がなく、しかも、シリンジ２８には吸引量を測定できる目盛り２８ｄを有するので、移送量を正確に調整することができる為、適しているものと言える。
【００８０】
また、三方弁４４による液体移送具２０は、シリンジ２８の吸引量が例えば流路２６の容積や定量的に移送する液量に対して少ないものであっても、吸引及び排出を複数回繰り返すことで、液体を確実に流路２６内に吸引したり、定量的に多量に移送することが可能であり、シリンジ２８を小型化し易い。
【図面の簡単な説明】
【００８１】
【図１】この発明の実施の形態１の液体移送具を示す模式的な構成図である。
【図２】図１の液体移送具の使用状態を示す模式的な斜視図である。
【図３】この発明の実施の形態２の液体移送具を示す模式的な構成図である。
【図４】図３の液体移送具の使用状態を示す模式的な斜視図である。
【図５】従来の液体移送具の使用状態を示す模式的な斜視図である。
【符号の説明】
【００８２】
２０  液体移送具
２１  吸込部
２２  吐出部
２３  連結部
２３ｄ  ゴム栓
２４  吸込部側移送管
２５  吐出部側移送管
２６  流路
２７  吸引口
２８  シリンジ
３１  嵌合コネクタ
３４  接合コネクタ
３６  カルチャーバッグ
３８  クレンメ
３３、４０、５０、６０、７０  容器
４４  三方弁
【図１】
2007325765.tif 000003
【図２】
2007325765.tif 000004
【図３】
2007325765.tif 000005
【図４】
2007325765.tif 000006
【図５】
2007325765.tif 000007